(57)【要約】【課題】  食べ物を収容する食器において、本体に蓋を被せたままで内部が見える蓋付き食器の提供。【解決手段】  食器本体１の上部開口には蓋２を取付け、そして該蓋２は透明又は半透明とし、上記本体１に収容した食べ物を蓋２と通して見ることが出来るようにしている。【選択図】    図１
2014064761.tif 000002
【特許請求の範囲】
【請求項１】
食べ物を収容する食器において、該食器本体の上部開口には蓋を取付け、そして該蓋は透明又は半透明とし、上記本体に収容した料理（食べ物）を蓋と通して見ることが出来ることを特徴とした蓋付き食器。
【請求項２】
上記蓋は外周部下面に下方へ突出したガイド壁を沿設し、また外周には外周縁を下方へ突出し、ガイド壁と外周縁の間には本体の側壁部上縁が係合する凹溝を形成した請求項１記載の蓋付き食器。
【請求項３】
上記凹溝の一部に溝深さを深くした切込み溝を設けた請求項２記載の蓋付き食器。
【発明の詳細な説明】
【技術分野】
【０００１】
本発明は蓋をしている状態で、本体に食べ物が収容しているか否かが分かるように、蓋を透明とした食器に関するものである。
【背景技術】
【０００２】
一口に食器と言ってもその種類は多種多様であり、収容する料理によって使われる食器の材質や形態は違ってくる。すなわち、食器は収容される料理を引き立てるように適したものが使われる。従って、日本料理を食する際に、「付け出し」として出される食器は平坦な皿状とし、刺身は主として凹状の食器、また煮物はお椀が使われている。
【０００３】
食器は単なる形状に限らず、その季節に応じて料理との調和が取られ、季節感のある図柄並びに色彩の食器が使われることも多い。そして、汁物や煮物などの温かい料理の場合には、冷えにくいように蓋付きの食器が使われるケースが多く、多少時間が経過しても温かく食すことが出来るようにしている。
【０００４】
図６は従来の一般的な蓋付き食器を示す具体例であり、該食器は表面に漆を塗布した漆器で、一般にはプラスチック製又は木製と成っている。このような蓋付き食器は、蓋が被せ易いように本体の上部開口並びに蓋は円形を成している場合が大半であり、煮物、汁物などを収容される。そして、蓋は本体の開口内部に嵌る大きさとしている。
【０００５】
一方、同じ蓋付き食器であっても、図７に示すような本体開口の上に載置することが出来る形態をした食器もある。この種の蓋付き食器は湯飲みとして、又は茶碗蒸しなどの温かい食べ物が収容される。蓋付き食器であっても収容する料理によって本体の被せる蓋の形態も違ってくる。
ところで、上記図６、図７に示す従来の食器は本体と蓋は同じ材質で構成され、しかも蓋をした状態では本体内部に収容されている料理（食べ物）は見えないように成なっている。
【０００６】
ところで、多数の客人が入る大きな宴会では、提供する料理の数は多くなり、その中には蓋付き食器を使用するケースもある。これらの料理が温かい場合、又は冷やした状態の場合、本体に盛付けして収容すると共に蓋をして断熱することで料理の温度が変化し難いようにしている。
【０００７】
従って、一旦蓋を被せてしまうと本体に料理（食べ物）が入っているか否かが分からないために、そのまま宴会の席に出してしまうケースもある。宴会の席に出す前に再度確認する作業も面倒であると共に、加熱している料理の温度が変わってしまう虞もある。従来、蓋の一部にデザイン化した穴を貫通し、該穴を通して内部が見えるようにした蓋付き食器も知られているが、保温性がない為に特定の料理に限定されてしまう。
【発明の開示】
【発明が解決しようとする課題】
【０００８】
このように、蓋付き食器は色々存在しているが、上記のごとき問題がある。本発明が解決しようとする課題はこの問題点であって、蓋を取外さなくても本体内部に料理（食べ物）が収容されているか否かを確認して客に提供することが出来る蓋付き食器を提供する。
【課題を解決するための手段】
【０００９】
本発明に係る蓋付き食器は、本体開口に被せる蓋を透明とし、又は半透明としている。ここで、本体部は透明であっても不透明であっても問わないことにする。そして、食器本体の形態は基本的に凹状体であるが、しかし、その具体的な形状は問わず、蓋は本体の上部開口に被せることで該開口を塞ぐことが出来るようにしている。
ここで、蓋は本体開口より僅かに小さくして該開口に嵌る場合、すなわち前記図
６に示した形態とした場合、又は開口より大きくして本体開口を覆うように載置する前記図７に示した形態とする場合がある。
【発明の効果】
【００１０】
本発明に係る食器は蓋付き食器として構成し、しかも該蓋は透明又は半透明としている。従って、本体内に料理（食べ物）を収容して蓋をしても、該蓋をしたままの状態で料理の有無を確認することが出来る。大きな宴会の席では前以て多数の蓋付き食器に料理を収容して準備しなくてはならないが、宴会のお膳に提供する際に蓋を取外して一々再確認する必要はなくなる。勿論、本体に料理が入っていない空の状態の食器をお膳に並べるといったミスの発生を防止することが出来る。
【図面の簡単な説明】
【００１１】
【図１】本発明の蓋付き食器を示す実施例。
【図２】蓋付き食器を構成する本体。
【図３】本体を積み重ねた場合の縦断面図。
【図４】蓋付き食器を構成する蓋。
【図５】蓋を積み重ねた場合の縦断面図。
【図６】従来の一般的な蓋付き食器。
【図７】従来の一般的な蓋付き食器。
【発明を実施するための形態】
【００１２】
図１は本発明に係る蓋付き食器を示す実施例で、同図の１は本体、２は蓋を表している。本体１は料理が収容される凹状の収容空間３を有し、該収容空間３は滑らかに湾曲した底部１５と側壁部１１で構成され、底部１５の下端には本体１を安定して起立する為の脚４を有している。該脚４は本体１の下端に円形を成して下方に起立している。そして、脚４の一部には概略逆Ｖ形の切込み５を形成し、該切込み５から水が流れ出ることで、円形の脚４の内部に水が溜まらないようにしている。
【００１３】
一方、本体１の上部開口には蓋２が被さっているが、該蓋２は透明と成っている。又は半透明として本体１の収容空間３が蓋２をしたままの状態で見えるようにしている。該蓋２は中央部に円形を成して上方へ起立した持ち手６を有し、この持ち手６の一部にも概略Ｖ形の切込み７を形成している。蓋２を洗った場合に持ち手６にて囲まれた内部空間に水が溜まらないようにしている。
【００１４】
ここで、本体１及び蓋２は一般に樹脂を成形して製作されるが、蓋２を透明にする為にその材質は限られる。例えば、アクリル樹脂、ＡＳ樹脂（アクリロニトリルスチレン）、ＰＳ樹脂（ポリスチレン）を使用するならば透明な蓋２を成形することが出来る。
アクリル樹脂はアクリル酸エステル、あるいはメタクリル酸エステルの重合体で、透明性の高い非晶質の合成樹脂である。特にポリメタクリル酸メチル樹脂による透明性は高くガラス製のような蓋となる。
【００１５】
ＡＳ樹脂（アクリロニトリルスチレン）は耐熱温度が８０〜１００℃で、透明性や耐熱性に優れた材料である。耐酸性、耐アルカリ性は良好であるが、アルコールに長時間触れると不透明になり、また直射日光を長いこと受けていると劣化する場合がある。非結晶性で透明な熱可塑性プラスチックであり、引っ張り、衝撃に強く、耐熱温度も高い。そして、耐薬品性が優れ、表面が傷つきにくいなどの特性を有す。
【００１６】
ＰＳ樹脂（ポリスチレン）は、非晶性の熱可塑性プラスチック材料である。スチロール樹脂とも言われ、耐熱温度は７０〜９０℃であり、蓋２として使用する場合にはこの耐熱温度で何ら問題はない。そして、透明で剛性に優れている。
【００１７】
ポリプロピレンは、プロピレンを原料に生産される合成樹脂で、国内で消費される代表的な合成樹脂である。軽量で耐熱性が良く、耐薬品性に優れ、また艶があるのが特徴で、その組成によりホモポリマー（単独重合体）と、共重合体であるランダムコポリマー、ブロックコポリマーに分かれ、使用用途によって選択される。一般にホモポリマーは高剛性で、光沢がよく鮮やかな色彩に着色出来る。一方、ランダムコポリマーは透明性が高く、ブロックコポリマーはホモポリマーよりも耐衝撃強度が優れている。
【００１８】
このように、透明性に優れて強度の高い樹脂は色々あり、本発明ではこれらの樹脂を用いて蓋２を成形することが出来る。従って、蓋２はガラス蓋のように透明となり、本体１の収容空間３に収容されている料理の有無を、該蓋２を取外すことなく確認することが出来る。
【００１９】
図２は蓋付き食器の本体１を表している。この本体１に関しては特に特徴はなく、従来の一般的な食器本体と共通している。そして、図３は２個の本体１，１を積重ねた場合を表しているように、複数の本体１，１・・・を積重ねて小さいスペースで収納することが出来る。この点についても、従来の食器本体と同じである。
【００２０】
図４は蓋２を示し、（ａ）は平面図、（ｂ）は縦断面図を表している。該蓋２は滑らかに湾曲した皿状を成している。そして中央部にはリング状に起立した持ち手６を起立し、下面には外周部に沿って下方へ突出したガイド壁８を沿設し、そして外周に沿って外周縁９を形成している。さらに、ガイド壁８と外周縁９との間には凹溝１０を設けている。
【００２１】
ところで、蓋２を本体１に被せる場合、図１に示すようにガイド壁８は滑らかに湾曲した本体１の側壁部１１の上縁部１２の内側に係合し、外周縁９は上縁１３を被覆するように外側に位置し、そして上縁１３は凹溝１０に係合している。従って、本体１の上部開口に被さった蓋２は位置ズレすることなく安定する。
【００２２】
そして、蓋２の下面であって、中央部には凹溝１４がリング状を成して形成されている。図５は上記蓋２，２を積み重ねた場合を示す縦断面図である。持ち手６の上端は上記中央部下面に設けた凹溝１４に係合し、その為に蓋２，２は位置ズレすることなく積み上げることが出来る。
【００２３】
また、上記蓋外周に設けている凹溝１０は本体１の上縁１３が係合することが出来るように一定幅をもって全周に形成されている。ところで、この凹溝１０の一部にその溝深さを僅かに深くした切込み溝１６を設けている。この切込み溝１６を設けることで、蓋２を本体１に被せた場合、本体１の上縁と切込み溝底の間に僅かな隙間が形成される。
【００２４】
温かい食べ物、又は熱い食べ物を本体１の収容空間３に入れて蓋２を被せることで、上記食べ物は冷えにくくなる。しかし、完全密閉状態とする場合、後で蓋２を取り外す場合に本体１の収容空間３が真空状態と成って取外すことが出来にくくなる。そこで、小さい切込み溝１６を凹溝１４の一部に形成することで収容空間３の密閉に伴う真空を防止することが可能と成り、蓋２は何時でも取り外し出来る。
【００２５】
本発明の蓋２は基本的に本体内部が見えるように透明又は半透明であるが、お膳に並ぶ場合に他の食器とのバランスをとる為に、蓋２の一部を着色したり、模様を形成することも可能である。ただし、着色や模様の形成によって本体内部が見えにくくならないようにしている。
【符号の説明】
【００２６】
１   本体
２   蓋
３   収容空間
４   脚
５   切込み
６   持ち手
７   切込み
８   ガイド壁
９   外周縁
10   凹溝
11   側壁部
12   上縁部
13   上縁
14   凹溝
15   底部
16   切込み溝
【図１】
2014064761.tif 000003
【図２】
2014064761.tif 000004
【図３】
2014064761.tif 000005
【図４】
2014064761.tif 000006
【図５】
2014064761.tif 000007
【図６】
2014064761.tif 000008
【図７】
2014064761.tif 000009